(57)【特許請求の範囲】
【請求項１】
鏡餅形容体内に餅を充填若しくは餅を収納した飾り鏡餅の上部に載置固定する橙を模した樹脂製の橙状飾り具であって、橙を模した橙本体部の上面部の、蔕を模した蔕部を避けた位置に、更に上載せする飾り具を接着載置固定するための平坦で滑らかな接着用平坦面部を形成し、この接着用平坦面部は、前記橙本体部の上面部の小範囲に形成され、且つ前記飾り具の底部接着部を接着し、この飾り具が前記橙本体部上に載置固定するに十分な幅と長さを有するもので、この接着用平坦面部は前記飾り具を載置した際に隠蔽されるような大きさに形成すると共に、前記橙本体部の上面部の他の位置と異なり湾曲してなく略水平表面となるように形成し、且つ橙を模すための凹凸部を有しない平坦で滑らかな面に形成し、この接着用平坦面部は、前記橙本体部を樹脂成形する際一体形成したことを特徴とする樹脂製の橙状飾り具。
【発明の詳細な説明】
【０００１】
【発明の属する技術分野】
本発明は、飾り鏡餅に載置する樹脂製の橙状飾り具に関するものである。
【０００２】
【従来の技術及び発明が解決しようとする課題】
橙を模した樹脂製の橙状飾り具を飾り鏡餅の上部に載置固定した商品が大変好評であるが、更に美しく華やかに飾るため、この橙状飾り具の上に更に例えば扇子状の飾り具などを載置固定する場合がある。
【０００３】
この橙状飾り具の上に更に上載せする飾り具は、一般に製造元あるいは販売元（工場）で予め接着固定するのではなく、飾り鏡餅と一緒に梱包し、消費者が付属の両面シールや接着剤を用いて橙状飾り具の上に接着固定させるようにしている（このようにノックダウン方式を採用する場合が多い）。
【０００４】
しかしながら、橙状飾り具の上面は、略球状であることから水平平坦面はなく、また橙に模すために表面には多数の凹部や凸部を形成しているため、滑らかな平坦面もない。
【０００５】
従って、例えば紙製の扇子状の飾り具を接着載置固定する場合、底面中央に小片状の両面テープを貼着し、このテープをやや湾曲していて滑らかな面でないが、できるだけ水平に近い頂部表面に強く押し付けて接着固定しているのが現状で、しかも、この橙状飾り具に載せるこの扇子状飾り具が安定載置できる形状ではなく、立設状態に載置するために、接着剤がよほど強力でない限り、なかなか接着できなかったり、接着しても容易に外れ落ちてしまったり、また水平で滑らかな面に接着しているわけではないため、接着剤がたとえば強力なものであっても、扇子状飾り具の自重や変形復帰作用等によって、時間が経つと外れ落ちてしまう場合が往々にしてあった。
【０００６】
本発明は、このような問題点を見い出し、これを解決するもので、簡易な構成で、市販の接着剤や接着テープの接着力でも橙状飾り具に載せる飾り具を強固に接着固定でき、長期にわたりこの飾り具が外れ落ちることのない画期的な樹脂製の橙状飾り具を提供することを目的としている。
【０００７】
【課題を解決するための手段】
添付図面を参照して本発明の要旨を説明する。
【０００８】
鏡餅形容体内に餅を充填若しくは餅を収納した飾り鏡餅１の上部に載置固定する橙を模した樹脂製の橙状飾り具であって、橙を模した橙本体部２の上面部の、蔕を模した蔕部３を避けた位置に、更に上載せする飾り具４を接着載置固定するための平坦で滑らかな接着用平坦面部５を形成し、この接着用平坦面部５は、前記橙本体部２の上面部の小範囲に形成され、且つ前記飾り具４の底部接着部を接着し、この飾り具４が前記橙本体部２上に載置固定するに十分な幅と長さを有するもので、この接着用平坦面部５は前記飾り具４を載置した際に隠蔽されるような大きさに形成すると共に、前記橙本体部２の上面部の他の位置と異なり湾曲してなく略水平表面となるように形成し、且つ橙を模すための凹凸部６を有しない平坦で滑らかな面に形成し、この接着用平坦面部５は、前記橙本体部２を樹脂成形する際一体形成したことを特徴とする樹脂製の橙状飾り具に係るものである。
【０００９】
【発明の実施の形態】
好適と考える本発明の実施の形態（発明をどのように実施するか）を、図面に基づいてその作用効果を示して簡単に説明する。
【００１０】
橙を模した橙本体部２の上面部に形成した接着用平坦面部５に、更に積み重ねるように上載せする飾り具４を接着固定する。
【００１１】
例えば、飾り具４の底部に接着テープ７を設け、この接着テープ７を接着用平坦面部５に当接して橙本体部２上に飾り具４を接着載置固定する。
【００１２】
橙状本体部２の上面は湾曲していて、橙に模するために多数の凹部６を有しているが、この接着用平坦面部５は、略水平な平坦面で凹凸部のない滑らかな平坦面であるから、市販の接着剤や接着テープの接着力でも橙状飾り具に載せる飾り具４を強固に接着固定でき、長期にわたりこの飾り具４が外れ落ちることがない。
【００１３】
【実施例】
本発明の具体的な実施例について図面に基づいて説明する。
【００１４】
本実施例では、樹脂製の鏡餅形容体内に餅を充填若しくは個包装した切餅や丸餅をラップ閉止する底部開口部から収納した飾り鏡餅１の上部に載置固定する橙を模した樹脂製の橙状飾り具に本発明を適用したものである。
【００１５】
本実施例のこの橙状飾り具（橙本体部２）は、中空ブロー成形したもので、頂部の挿入孔から、蒂を模した葉付の蒂部３を挿入したものであり、この成形時に橙に見えるように橙肌に見えるクレータ状の凹部６を無数に形成した構成としている。
【００１６】
本実施例では、この橙を模した橙本体部２の上面部の、蔕を模した蔕部３を避けた位置に、更に上載せする飾り具４を接着載置固定するための平坦で滑らかな接着用平坦面部５を形成している。
【００１７】
この接着用平坦面部５は、前記橙本体部２を樹脂成形する際、前記凹部６と同様に一体成形している。また、この接着用平坦面部５は、橙本体部２の上面部の小範囲に形成され、且つ飾り具４の底部接着部を接着し、この飾り具４が橙本体部２上に載置固定するに十分な幅と長さを有するもので、橙本体部２の上面部の他の位置と異なり湾曲してなく略水平表面となるように形成し、且つ橙を模すための凹凸部６を全く有しない平坦で滑らかな面に形成している。
【００１８】
即ち、本実施例では、飾り具４として紙製の扇子状飾り具４とし、この飾り具４の底面中央に両面テープ７を貼着し、これを底部接着部とし、このテープ７をこのテープ幅と略合致した長方形状の接着用平坦面部５に当接して強固に接着できるようにしている。
【００１９】
従って、この接着用平坦面部５は、略水平な平坦面で凹凸部６のない滑らかな平坦面であるから、市販の接着剤や接着テープの接着力でも橙状飾り具に載せる飾り具４を強固に接着固定でき、長期にわたりこの飾り具４が外れ落ちることがない。
【００２０】
また、この接着用平坦面部５は必要最小限の大きさに形成し、橙本体部２と同色の橙色としていることから、飾り具４を載置しない場合にも目立たず、また飾り具４を載置すれば隠れることとなる。
【００２１】
従って、例えば従来通りノックダウン方式とし、両面テープ７と略合致する形状の接着用平坦面部５としておけば、消費者は、この両面テープ７によって単にこの両面テープ７を飾り具４の底部に設け、これを接着用平坦面部５に押し付けるだけで、工場で強力に接着しなくても、簡単に強固に接着でき、長期にわたり不安定な立設タイプの扇子状の飾り具４であっても、外れ落ちることがない。
【００２２】
尚、本発明は、本実施例に限られるものではなく、各構成要件の具体的構成は適宜設計し得るものである。
【００２３】
【発明の効果】
本発明は上述のように構成したから、簡易な構成で、市販の接着剤や接着テープの接着力でも橙状飾り具に載せる飾り具を強固に接着固定でき、長期にわたりこの飾り具が外れ落ちることのない画期的な樹脂製の橙状飾り具となる。
【００２４】
即ち、ノックダウン方式を採用しても、簡単に飾り具を上載せ固定でき、しかも市販の接着テープでも強固に接着固定でき、不安定で立設形の飾り具でも長期にわたり外れ落ちることがなく、言い換えるとノックダウン方式による簡単なテープ接着方式でも強固に固定できる画期的な樹脂製の橙状飾り具となる。
【図面の簡単な説明】
【図１】  本実施例の使用状態の正面図である。
【図２】  本実施例の要部の拡大斜視図である。
【図３】  本実施例の要部の拡大平面図である。
【図４】  本実施例の要部の拡大説明正面図である。
【符号の説明】
１  飾り鏡餅
２  橙本体部
３  蔕部
４  飾り具
５  接着用平坦面部
６  凹凸部
【図１】
0003964633.tif 000002
【図２】
0003964633.tif 000003
【図３】
0003964633.tif 000004
【図４】
0003964633.tif 000005